(57)【要約】【課題】  流れが悪く洗剤の泡や汚れが残りやすい箇所の面積を少なくすることにより、洗浄等の清掃作業が容易になる浴槽の排水構造を提供すること。【解決手段】  浴槽１１に設けられた排水口１５を、床パン１２に設けられた排水口の上方に位置させ、排水口１５と床パン１２の排水口とを筒状の排水管１８を用いて接続して浴槽の排水構造を構成した。そして、浴槽１１の底部１１ｂにおける排水時に排水が流れていく最も低い部分に凹部１４を形成し凹部１４の底部に排水口１５を設けた。【選択図】  図１
2007154622.tif 000002
【特許請求の範囲】
【請求項１】
浴槽に設けられた浴槽排水口と床パンに設けられた床パン排水口とを接続部材を用いて接続した浴槽の排水構造であって、前記浴槽の内部側底面における最も低い部分に凹部を形成し前記凹部の底部に前記浴槽排水口を設けたことを特徴とする浴槽の排水構造。
【請求項２】
前記凹部の周面を上部側から下部側に行くほど徐々に直径が小さくなったテーパ状に形成した請求項１に記載の浴槽の排水構造。
【請求項３】
前記浴槽の外表面を断熱材からなる断熱層で構成するとともに、前記浴槽の底部における浴槽排水口の周囲部分には前記断熱層を設けず、前記浴槽の底部における前記断熱層が設けられていない部分の内面部を前記断熱層の厚み分下方に位置させることで前記凹部を形成した請求項１または２に記載の浴槽の排水構造。
【請求項４】
前記凹部の平面視における形状を、前記浴槽における上縁内周面の平面視における形状と略相似形にし、前記凹部を前記浴槽の上縁内周面と同じ向きとした状態で、前記浴槽の底部の略中央に配置した請求項１ないし３のうちのいずれか一つに記載の浴槽の排水構造。
【請求項５】
前記凹部の底面に、前記浴槽排水口に向って湯水を流し易くするためのガイド溝または凹凸形状を形成した請求項１ないし４のうちのいずれか一つに記載の浴槽の排水構造。
【発明の詳細な説明】
【技術分野】
【０００１】
本発明は、浴槽の水（湯を含む。）を浴槽の排水口から床パンに設けられた排水口を介して外部に排出するための浴槽の排水構造に関する。
【背景技術】
【０００２】
従来から、ユニット型の浴室において、浴槽内の水は、浴槽の底部に設けられた排水口から床パンに設けられた排水口を介して外部に排出するようになっている（例えば、特許文献１参照）。
【特許文献１】実開平５−３１６８７号公報
【発明の開示】
【０００３】
しかしながら、前述した従来の浴槽では、浴槽内を洗浄した際の洗剤の泡や汚れも浴槽底部の排水口に洗い流しているが、浴槽の底面付近では水位が低く流れが悪いため、泡や汚れが浴槽の底面や底側の壁面等に付着して残りやすいという問題が生じていた。
【０００４】
本発明は、前述した問題に対処するためになされたもので、その目的は、流れが悪く洗剤の泡や汚れが残りやすい箇所の面積を少なくすることにより、洗浄等の清掃作業が容易になる浴槽の排水構造を提供することである。
【０００５】
前述した目的を達成するため、本発明に係る浴槽の排水構造の構成上の特徴は、浴槽に設けられた浴槽排水口と床パンに設けられた床パン排水口とを接続部材を用いて接続した浴槽の排水構造であって、浴槽の内部側底面における最も低い部分に凹部を形成し凹部の底部に浴槽排水口を設けたことにある。
【０００６】
前述した本発明の浴槽の排水構造では、浴槽の内部側底面の最も低い部分に凹部を形成して、その凹部の底面に浴槽排水口を設けている。したがって、浴槽内を洗浄する際に、洗剤を用いた場合、その洗剤の泡や汚れが浴槽の底面全域に残ることなく凹部内に集中して残る。したがって、洗剤の泡や汚れが残る部分が少なくなり清掃作業が簡単になる。また、浴槽内の水を排水する場合にも、髪や汚れが浴槽の底面全域に残ることなく凹部内に集中して残るため、後の清掃作業が容易になる。
【０００７】
すなわち、浴槽の排水時には、水位が高いときには勢いよく排水されるが、水位が低くなるにしたがって排水の勢いが弱くなり、浴槽の底部付近に汚れが残りやすくなるが、本発明のように、凹部の底面に浴槽排水口を設けることで、汚れが凹部内に集中して残るようになる。この場合の凹部の平面視における形状は円形にすることが好ましい。これによると、凹部の形成が容易になる。
【０００８】
また、本発明に係る浴槽の排水構造の他の構成上の特徴は、凹部の周面を上部側から下部側に行くほど徐々に直径が小さくなったテーパ状に形成したことにある。これによると、浴槽の底部から凹部内に流れ込んだ洗剤の泡や汚れ等がスムーズに浴槽排水口に向って流れるようになる。
【０００９】
また、本発明に係る浴槽の排水構造のさらに他の構成上の特徴は、浴槽の外表面を断熱材からなる断熱層で構成するとともに、浴槽の底部における浴槽排水口の周囲部分には断熱層を設けず、浴槽の底部における断熱層が設けられていない部分の内面部を断熱層の厚み分下方に位置させることで凹部を形成したことにある。これによると、浴槽の断熱性を高めることができるため、浴槽内の湯の温度を長時間入浴に適した温度に維持できる。また、浴槽排水口の近傍に断熱層を設けないことで凹部を形成できるため、凹部を設けるために浴槽の底部を突出させる必要がなくなる。これによって、浴槽の外部側底面を平面状に維持できる。
【００１０】
また、本発明に係る浴槽の排水構造のさらに他の構成上の特徴は、凹部の平面視における形状を、浴槽における上縁内周面の平面視における形状と略相似形にし、凹部を浴槽の上縁内周面と同じ向きとした状態で、浴槽の底部の略中央に配置したことにある。これによると、排水時の水や洗浄時の洗剤の泡等が浴槽の底部のどの部分からでも凹部に集まりやすくなる。
【００１１】
また、本発明に係る浴槽の排水構造のさらに他の構成上の特徴は、凹部の底面に、浴槽排水口に向って湯水を流し易くするためのガイド溝または凹凸形状を形成したことにある。これによると、浴槽内の排水時の水や清掃時の洗剤の泡等が、浴槽の底部から凹部に集まったのちに排水口に流れ易くなる。また、この場合のガイド溝や凹凸形状は、滑らかな表面を備えた形状にすることが好ましい。
【発明を実施するための最良の形態】
【００１２】
（第１実施形態）
以下、本発明の第１実施形態に係る浴槽の排水構造を図面を用いて説明する。図１に示すように、浴槽１１の底部１１ｂに、本発明に係る凹部１４が形成されている。この浴槽１１の底部１１ｂは、緩やかな傾斜を備えた曲面に形成されており、凹部１４は、底部１１ｂの最も低位置になる部分に設けられている。この凹部１４は、浴槽１１内を洗浄した際の洗剤の泡や汚れた水等を集めるために形成されたもので、平面視による形状が円形に形成され、容積が通常の洗面器よりもやや小さい大きさに設定されている。そして、凹部１４の底部中央に、浴槽１１内の水を排出するための排水口１５が形成され、この排水口１５に金属製の排水栓１５ａが取り付けられている。
【００１３】
また、凹部１４の上端開口には、目皿１４ａが着脱自在に取り付けられており、この目皿１４ａによって凹部１４は、浴槽１１の上方から見た場合、隠れた状態になっている。また、凹部１４の開口縁部と目皿１４ａの外周縁部との間には、所定の隙間が設けられており、この隙間を介して浴槽１１内の水は凹部１４内に流れ込む。この部分の断面形状を図２に示している。
【００１４】
また、浴槽１１の上縁部１１ｃにおける一方の角部に浴槽１１内に湯や水を入れるための図示しない水栓と、排水栓１５ａを開閉操作するための押しボタン式の操作スイッチ１７とが設けられている。操作スイッチ１７は、レリースケーブルおよび収容ボックス（図示せず）を介して排水栓１５ａに接続されている。収容ボックス内には、操作スイッチ１７の操作に応じて、排水栓１５ａを上下移動させるための駆動装置が収容されている。すなわち、この駆動装置は、排水栓１５ａが上昇して排水口１５が開いた状態で、操作スイッチ１７を押すと排水栓１５ａを下降させて排水口１５を閉じ、再度操作スイッチ１７を押すと排水栓１５ａを上昇させて排水口１５を開くように構成されている。
【００１５】
また、排水栓１５ａが取り付けられた浴槽１１の裏側には、図１に示したように本発明の接続部材としての排水管１８が接続されている。この排水管１８は、床パン１２（図４参照）に形成された排水口（図示せず）に接続されており、床パン１２の排水口は、外部に延びる排水管（図示せず）に接続されている。したがって、浴槽１１から排出される水は、浴槽１１の排水口１５から排水管１８を通って床パン１２の排水口に流れ、さらに床パン１２に接続された排水管を通過して外部に排出される。
【００１６】
また、浴槽１１の底部１１ｂにおける排水管１８との接続部分には、排水口部材（図示せず）が設けられており、この排水口部材の側部から内部上方に向ってレリースケーブルの先端側部分が延びている。そして、レリースケーブルの先端部は、排水栓１５ａの下面に連結されている。
【００１７】
この構成において、入浴者が入浴する際には、まず、操作スイッチ１７を押して排水栓１５ａを下降させて排水口１５を閉じた状態にする。ついで、水栓から適度の温度に調節された湯を出して浴槽１１内に溜める。そして、入浴者は湯に浸かる。
【００１８】
また、入浴後に、浴槽１１内の水を排出する場合には、再度、操作スイッチ１７を押す。これによって、排水栓１５ａが上昇して排水口１５が開き、浴槽１１内の水は、順次、凹部１４内に流れ込み、排水口１５から浴槽１１の外部に流れていく。そして、浴槽１１から出た水は、床パン１２の下方に設置された排水管を通って外部に流れていく。この場合、従来の浴槽では、水位が低くなったときに、排水の流れが悪くなり、汚れが浴槽の底部付近の全体に残り易くなるが、本実施形態の浴槽１１では、汚れが凹部１４内に集中して残るようになる。
【００１９】
また、洗剤等を用いて浴槽１１の内部の洗浄を行う場合には、洗剤をつけたスポンジ等で浴槽１１の内周面や底面を拭いたり擦ったりする。ついで、浴槽１１内の汚れを落としたのちに、シャワーや水栓から水を出して、浴槽１１の内面に付着する洗剤の泡や汚れを流す。これによって、洗剤の泡や汚れは水とともに、浴槽１１の底部１１ｂに流れ、浴槽１１の底部１１ｂから凹部１４内に流れ込む。そして、凹部１４内に流れ込んだ水は排水口１５を通過して浴槽１１の外部に流れていく。この際、水とともに外部に排出されなかった洗剤の泡や汚れは、殆ど凹部１４内に集中して残り、浴槽１１の底部１１ｂにおける凹部１４以外の部分には残り難くなる。このため、浴槽１１の洗浄後に、浴槽１１内に残る洗剤の泡や汚れを除去するための作業が容易になる。
【００２０】
このように、本実施形態に係る浴槽の排水構造では、浴槽１１の底部１１ｂの最も低い部分に凹部１４を形成して、その凹部１４の底部に排水口１５を設けているため、浴槽１１内を洗浄する際に、洗剤の泡や汚れが浴槽１１の底部１１ｂに残ることなく凹部１４内に集中して残ることになる。したがって、浴槽１１内に残った洗剤の泡や汚れを除去するための作業を行う部分が、殆ど凹部１４内だけで済むようになり清掃作業が容易になる。また、浴槽１１内の水を排出する場合にも、髪や汚れが浴槽１１の底部全体に残ることなく凹部１４内に集中して残るため、後の清掃作業が容易になる。
【００２１】
（第２実施形態）
図３は、本発明の第２実施形態に係る浴槽の排水構造が備える凹部２４を示している。この凹部２４では、周面２４ａが上端部から下端部に行くほど直径が小さくなったテーパ状に形成され、その分底面２４ｂの面積が小さくなっている。したがって、浴槽の底部２１ｂから凹部２４内に流れ込んだ水が排水口２５に流れ易くなっている。この浴槽の排水構造におけるそれ以外の部分の構成については、前述した第１実施形態に係る浴槽の排水構造の対応する部分と同一である。したがって、同一部分に同一符号を記して説明は省略する。また、この浴槽の排水構造における前述した作用効果以外の作用効果については、前述した第１実施形態に係る浴槽の排水構造の作用効果と同様である。
【００２２】
（第３実施形態）
図４は、本発明の第３実施形態に係る浴槽の排水構造を備えた浴槽３１の断面を示している。この浴槽３１の外側面および外側底面には、保温用の断熱層３３が形成されている。そして、断熱層３３における凹部３４が形成される部分には、平面視が円形の切欠き部３３ａが形成されこの切欠き部３３ａを形成することによって凹部３４が構成されている。すなわち、浴槽３１の内表面部を構成する表面層３６は、凹部３４の内周面および底面に延びている。そして、凹部３４の底面中央に排水口３５が形成されている。また、図示していないが、凹部３４の開口縁部には目皿が取り付けられ、排水口３５には排水栓が取り付けられる。
【００２３】
この浴槽の排水構造におけるそれ以外の部分の構成については、前述した第１実施形態に係る浴槽の排水構造の対応する部分と同一である。したがって、同一部分に同一符号を記して説明は省略する。また、このように構成したため、浴槽３１の断熱性を高めることができ、浴槽３１内の湯の温度を長時間入浴に適した温度に維持できる。さらに、断熱層３３に切欠き部３３ａを設けることで凹部３４を形成できるため、凹部３４を設けるために浴槽３１の底部を突出させる必要がなくなる。本実施形態に係る浴槽の排水構造におけるそれ以外の作用効果については、前述した第１実施形態に係る浴槽の排水構造と同様である。
【００２４】
（第４実施形態）
図５は、本発明の第４実施形態に係る浴槽の排水構造を備えた浴槽４１の平面を示している。この浴槽４１では、凹部４４の平面視による形状が、浴槽４１における上縁内周面４１ａの平面視による形状と略相似形の略瓢箪形に設定されている。そして、凹部４４の一方側に、排水口４５が形成され、排水口４５に排水栓４５ａが設けられている。また、この凹部４４は、浴槽４１の底部４１ｂの略中央に、上縁内周面４１ａと同じ向きに配置されている。この浴槽の排水構造におけるそれ以外の部分の構成については、前述した第１実施形態に係る浴槽の排水構造の対応する部分と同一である。
【００２５】
また、このように構成したため、浴槽４１の底部４１ｂのどの部分からでも浴槽４１の排水時の水や洗浄時の洗剤の泡等が凹部４４に流れ込みやすくなる。本実施形態に係る浴槽の排水構造におけるそれ以外の作用効果については、前述した第１実施形態に係る浴槽の排水構造と同様である。
【００２６】
（第５実施形態）
図６は、本発明の第５実施形態に係る浴槽の排水構造が備える凹部５４の平面を示している。この凹部５４の平面視による形状は、円形に形成されている。そして、凹部５４は周面５４ａが略垂直となった筒状に形成され、底面５４ｂの上面には、底面５４ｂの周縁部から中央に向ってやや下降しながら延びるガイド溝５６が９０度の角度間隔で４本設けられている。そして、底面５４ｂの中央にガイド溝５６の先端部が連通された排水口５５が形成され、排水口５５に排水栓５５ａが設けられている。この浴槽の排水構造におけるそれ以外の部分の構成については、前述した第１実施形態に係る浴槽の排水構造の対応する部分と同一である。したがって、同一部分に同一符号を記している。
【００２７】
このように構成したため、浴槽１１の底部１１ｂから凹部５４内に流れ込んだ水は、ガイド溝５６にガイドされて排水口５５に向って流れる。このため、浴槽１１の底部１１ｂから凹部５４内に流れ込んだ水が排水口５５に流れやすくなる。この実施形態に係る浴槽の排水構造におけるそれ以外の作用効果については、前述した第１実施形態に係る浴槽の排水構造と同様である。
【００２８】
（第６実施形態）
図７は、本発明の第６実施形態に係る浴槽の排水構造が備える凹部６４の平面を示している。この凹部６４の平面視による形状は、正方形に形成されている。そして、凹部６４の周面６４ａは略垂直方向に延びる４個の壁部で構成され、底面６４ｂの上面には、底面６４ｂの周縁部から中央に向って延びる凹凸形状６６が形成されている。そして、底面６４ｂの中央に凹凸形状６６の各部分の先端部が連通された排水口６５が形成され、排水口６５に排水栓６５ａが設けられている。この浴槽の排水構造におけるそれ以外の部分の構成については、前述した第１実施形態に係る浴槽の排水構造の対応する部分と同一である。
【００２９】
このように構成したため、浴槽の底部６１ｂから凹部６４内に流れ込んだ水が凹凸形状６６の凹部側部分にガイドされて排水口６５に流れるため、凹部６４内に入った水が排水口６５に流れやすくなる。この実施形態に係る浴槽の排水構造におけるそれ以外の作用効果については、前述した第１実施形態に係る浴槽の排水構造と同様である。
【００３０】
また、本発明に係る浴槽の排水構造は、前述した実施形態に限定するものでなく、適宜変更することができる。例えば、前述した第５実施形態では、底面５４ｂの上面にガイド溝５６を設け、第６実施形態では、底面６４ｂの上面に凹凸形状６６を設けているが、このようなガイド溝や凹凸形状を浴槽の底面における凹部６４，６５の周囲に設けることができる。これによると、浴槽の底面から凹部への水や泡等の流れをスムーズにすることができる。また、第４実施形態では、浴槽４１の上縁内周面４１ａおよび凹部４４の平面視による形状を略瓢箪形に形成しているが、この形状としては、長方形、楕円形、円形、正方形、その他の形状など浴槽として用いることのできる形状であればどのような形状でもよい。さらに、本発明に係る浴槽の排水構造を構成するそれ以外の部分についても、本発明の技術的範囲内で適宜変更して実施することができる。
【図面の簡単な説明】
【００３１】
【図１】本発明の第１実施形態に係る浴槽の排水構造を備えた浴槽ユニットの浴槽を示した斜視図である。
【図２】浴槽における凹部の近傍部分を示した断面図である。
【図３】本発明の第２実施形態に係る排水構造が備える凹部を示した断面図である。
【図４】本発明の第３実施形態に係る排水構造を備えた浴槽を示した断面図である。
【図５】本発明の第４実施形態に係る排水構造を備えた浴槽を示した平面図である。
【図６】本発明の第５実施形態に係る排水構造が備える凹部を示した平面図である。
【図７】本発明の第６実施形態に係る排水構造が備える凹部を示した平面図である。
【符号の説明】
【００３２】
１１，３１，４１…浴槽、１１ｂ，４１ｂ…底部、１２…床パン、１４，２４，３４，４４，５４，６４…凹部、１５，４５，５５，６５…排水口、１８…排水管、２４ａ…周面、２４ｂ，５４ｂ，６４ｂ…底面、３３…断熱層、３６…表面層、５６…ガイド溝、６６…凹凸模様。
【図１】
2007154622.tif 000003
【図２】
2007154622.tif 000004
【図３】
2007154622.tif 000005
【図４】
2007154622.tif 000006
【図５】
2007154622.tif 000007
【図６】
2007154622.tif 000008
【図７】
2007154622.tif 000009